(57)【要約】【課題】炊飯終了までの炊飯残時間を表示する炊飯器において、炊飯開始後に表示される炊飯残時間の初期値を使用者の使用実態に合わせた適切な値で表示する炊飯器を提供する。【解決手段】米や水を入れる鍋１を加熱手段２により加熱し、この加熱手段２をマイクロコンピュータ３で構成する制御手段により所定の炊飯シーケンスに従い制御し、炊飯終了までの炊飯残時間をマイクロコンピュータ３で構成する残時間計時手段により計時し、炊飯残時間の初期値をマイクロコンピュータ３で構成する残時間算出手段により算出する。残時間算出手段は、前回の炊飯動作の結果から次回炊飯時の炊飯残時間の初期値を算出するようにする。【選択図】図１
2004337579.tif 000002
【特許請求の範囲】
【請求項１】
米や水を入れる鍋と、この鍋を加熱する加熱手段と、この加熱手段を所定の炊飯シーケンスに従い制御する制御手段と、炊飯終了までの炊飯残時間を計時する残時間計時手段と、炊飯残時間の初期値を算出する残時間算出手段とを備え、前記残時間算出手段は、前回の炊飯動作の結果から次回炊飯時の炊飯残時間の初期値を算出するようにした炊飯器。
【請求項２】
残時間算出手段は、炊飯に要した炊飯所要時間を記憶する所要時間記憶手段を構成した請求項１記載の炊飯器。
【請求項３】
残時間算出手段は、炊飯に要した炊飯所要時間を少なくとも２回記憶し、この記憶した炊飯所要時間から計算し、炊飯残時間の初期値を算出する所要時間計算手段を構成した請求項１記載の炊飯器。
【請求項４】
残時間計時手段は、炊飯開始時に前回の炊飯を行った炊飯メニューが今回行う炊飯メニューと同一ならば、残時間算出手段が算出した値を初期値として設定するようにした請求項１記載の炊飯器。
【請求項５】
現在時刻を計時する現在時刻計時手段を備え、残時間計時手段は、炊飯開始時に前回の炊飯を行った時間が今回行う時間帯と共通ならば、残時間算出手段が算出した値を初期値として設定するようにした請求項１記載の炊飯器。
【請求項６】
残時間算出手段は、炊飯量を記憶する炊飯量記憶手段を構成した請求項１記載の炊飯器。
【請求項７】
炊飯量記憶手段は、所定の温度に達するまでの上昇時間を計測し記憶する上昇時間記憶手段を構成した請求項６記載の炊飯器。
【請求項８】
炊飯量記憶手段は、所定の温度に達するまでの上昇時間を少なくとも２回記憶し、この記憶した上昇時間から計算し、炊飯残時間の初期値を算出する上昇時間計算手段を構成した請求項６記載の炊飯器。
【発明の詳細な説明】
【技術分野】
【０００１】
本発明は、炊飯終了までの炊飯残時間を表示する炊飯器に関するものである。
【背景技術】
【０００２】
従来、炊飯残時間を表示する炊飯器は、炊飯を開始するとともに残時間表示手段に炊飯が終了するまでの目安である炊飯残時間を表示し、その経過とともに炊飯残時間を所定の時間、例えば１分単位で減算していき、炊飯の進行に伴い残時間修正手段がその炊飯残時間を短縮方向に修正するように構成にしている（例えば、特許文献１参照）。
【０００３】
炊飯に要する時間は、炊飯量や水温、電源電圧変動などの要因があり、例えば炊飯量が要因の場合、量が多いと炊飯に要する時間は長くなり、逆に少ないと炊飯に要する時間は短くなる。これは、炊き上げを行う炊き上げ工程に実施する時間が炊飯量によって変動するからである。
【０００４】
このように、炊飯残時間を短縮方向に修正する場合、炊飯が開始されて炊飯残時間の表示をはじめる際に、例えば最大炊飯量の時など想定される最大の炊飯時間を考慮した長めの時間を初期値として設定するようにしていた。
【特許文献１】特開平１０−１５３００号公報（第３−８頁、第１図）
【発明の開示】
【発明が解決しようとする課題】
【０００５】
しかしながら、このような従来の構成では、炊飯残時間を予め設定されている初期値から表示を開始するので、使用者によっては炊飯量による影響を受け、結果炊飯時間が短縮修正されるなど、最初に表示した炊飯残時間のとおりに炊き上がらないという問題を有していた。
【０００６】
本発明は上記従来の課題を解決するもので、炊飯開始後に表示される炊飯残時間の初期値を使用者の使用実態に合わせた適切な値で表示する炊飯器を提供することを目的としている。
【課題を解決するための手段】
【０００７】
本発明は上記目的を達成するために、米や水を入れる鍋を加熱手段により加熱し、この加熱手段を制御手段により所定の炊飯シーケンスに従い制御し、炊飯終了までの炊飯残時間を残時間計時手段により計時し、炊飯残時間の初期値を残時間算出手段により算出するよう構成し、残時間算出手段は、前回の炊飯動作の結果から次回炊飯時の炊飯残時間の初期値を算出するようにしたものである。
【０００８】
これにより、炊飯を開始すると前回の炊飯による結果が反映された炊飯残時間を初期値として設定できるので、炊飯開始後に表示される炊飯残時間の初期値を使用者の使用実態に合わせた炊飯残時間を初期値として表示することができる。
【発明の効果】
【０００９】
本発明の炊飯器は、炊飯を開始すると前回の炊飯による結果が反映された炊飯残時間を初期値として設定できるので、炊飯開始後に表示される炊飯残時間の初期値を使用者の使用実態に合わせた炊飯残時間を初期値として設定でき、表示することができる。
【発明を実施するための最良の形態】
【００１０】
第１の発明は、米や水を入れる鍋と、この鍋を加熱する加熱手段と、この加熱手段を所定の炊飯シーケンスに従い制御する制御手段と、炊飯終了までの炊飯残時間を計時する残時間計時手段と、炊飯残時間の初期値を算出する残時間算出手段とを備え、前記残時間算出手段は、前回の炊飯動作の結果から次回炊飯時の炊飯残時間の初期値を算出するようにしたものであり、炊飯を開始すると前回の炊飯による結果が反映された炊飯残時間を初期値として設定できるので、炊飯開始後に表示される炊飯残時間の初期値を使用者の使用実態に合わせた炊飯残時間を初期値として設定でき、表示することができる。
【００１１】
第２の発明は、上記第１の発明において、残時間算出手段は、炊飯に要した炊飯所要時間を記憶する所要時間記憶手段を構成したものであり、炊飯を開始すると所要時間記憶手段が前回の炊飯に要した時間を記憶しているので、その時間を初期値として設定することができる。
【００１２】
第３の発明は、上記第１の発明において、残時間算出手段は、炊飯に要した炊飯所要時間を少なくとも２回記憶し、この記憶した炊飯所要時間から計算し、炊飯残時間の初期値を算出する所要時間計算手段を構成したものであり、炊飯を開始すると２回以上計測した炊飯の所要時間から次の炊飯残時間を所要時間計算手段が適切に計算し、計算した計算値を炊飯残時間の初期値として設定することができる。
【００１３】
第４の発明は、上記第１の発明において、残時間計時手段は、炊飯開始時に前回の炊飯を行った炊飯メニューが今回行う炊飯メニューと同一ならば、残時間算出手段が算出した値を初期値として設定するようにしたものであり、炊飯開始時に炊飯メニューのチェックを行い前回と同じメニューのときのみ残時間算出手段が算出した炊飯残時間の初期値を設定することができる。
【００１４】
第５の発明は、上記第１の発明において、現在時刻を計時する現在時刻計時手段を備え、残時間計時手段は、炊飯開始時に前回の炊飯を行った時間が今回行う時間帯と共通ならば、残時間算出手段が算出した値を初期値として設定するようにしたものであり、炊飯開始時に炊飯を行う時間帯のチェックを行い前回と共通の時間帯のときのみ残時間算出手段が算出した炊飯残時間の初期値を設定することができる。
【００１５】
第６の発明は、上記第１の発明において、残時間算出手段は、炊飯量を記憶する炊飯量記憶手段を構成したものであり、炊飯を開始すると炊飯量記憶手段が前回の炊飯での炊飯量を記憶しているので、その炊飯量から残時間の初期値を算出し設定することができる。
【００１６】
第７の発明は、上記第６の発明において、炊飯量記憶手段は、所定の温度に達するまでの上昇時間を計測し記憶する上昇時間記憶手段を構成したものであり、上昇時間記憶手段に記憶されている上昇時間を参照することで前回の炊飯時の炊飯量が推定でき、その炊飯量から残時間の初期値を算出し設定することができる。
【００１７】
第８の発明は、上記第６の発明において、炊飯量記憶手段は、所定の温度に達するまでの上昇時間を少なくとも２回記憶し、この記憶した上昇時間から計算し、炊飯残時間の初期値を算出する上昇時間計算手段を構成したものであり、炊飯を開始すると上昇時間計算手段が複数回記憶した上昇時間から計算した計算値をもとに炊飯残時間の初期値を設定することができる。
【００１８】
以下、本発明の実施の形態について、図面を参照しながら説明する。なお、この実施の形態によって本発明が限定されるものではない。
【００１９】
（実施の形態１）
図１に示すように、鍋１は米や水など調理物を入れ、加熱手段２により加熱される。加熱手段２は誘導コイル２１とインバータ回路２２とで構成し、インバータ回路２２が誘導コイル２１に高周波電流を供給し、鍋１を誘導加熱するようにしている。温度センサ１１は鍋１の温度を検出し、マイクロコンピュータ３に入力している。
【００２０】
マイクロコンピュータ３は、加熱手段２を所定のシーケンスに従い制御する制御手段を構成するもので、スタートスイッチ５より入力があると、炊飯動作を開始し、内部タイマと温度センサ１１との入力値により予め記憶されている炊飯シーケンスに従い、米に吸水させる浸漬工程、炊き上げを行う炊き上げ工程、炊き上げ後むらしを行うむらし工程の順に実施し、加熱手段２の加熱動作を制御する。
【００２１】
また、マイクロコンピュータ３は、炊飯終了までの炊飯残時間を計時する残時間計時手段の機能も有しており、炊飯動作の開始とともに炊飯が終了するまでの目安である炊飯残時間の計時を始め、この計時される炊飯残時間は液晶表示装置４に表示するようにしている。この液晶表示装置４は、図２に示すように、１分単位で表示が可能であり、約１分ごとに表示を減算し、この時間が０になると炊飯が終了するようにしている。約１分ごとに減算しているので、例えば、「５分」と表示されているときは残り５分から４分１秒の残り時間を指すようにしている。
【００２２】
また、マイクロコンピュータ３は、炊飯残時間の初期値を算出する残時間算出手段の機能も有しており、この残時間算出手段は、炊飯に要した炊飯所要時間を記憶する所要時間記憶手段を構成している。
【００２３】
メニュー選択スイッチ６は、スタートスイッチ５を操作する前に操作することで、設定されている任意の炊飯メニューで炊飯を開始できるようにするものである。
【００２４】
制御手段が実施する炊飯シーケンスについて図３を参照しながら説明する。図３において、横軸は時間軸で、左から右へ進んでいく。縦軸は温度センサ１１により検出する温度である。
【００２５】
まず、炊飯が開始されると浸漬工程に入り、マイクロコンピュータ３は加熱手段２に加熱信号を出力し、所定の温度まで加熱し維持する。これは鍋１内の水温を上昇させ、米に十分に吸水させるためである。所定時間が経過すると炊き上げ工程となり、加熱手段２による加熱が始まる。
【００２６】
このとき、温度Ｔｅｍｐ１からＴｅｍｐ２まで達する時間をｔとしたとき、炊飯量が少ないとｔは短くなり、逆に多いと長くなる。このようにｔを測定することにより炊飯量を推定することができる。この推定された炊飯量より、その後の加熱手段２による火力を算出し、加熱する。
【００２７】
そして、鍋１内の水分が少なくなると、温度は上昇してゆき、Ｔｅｍｐ３を検知したとき炊き上げ工程を終了し、むらし工程となる。むらし工程では、加熱手段２による加熱をあまり行わず、鍋１内を蒸れた状態に維持する。そして、むらし工程開始から一定時間が経過するとご飯は炊けた状態になる。この一定時間をむらし所要時間としたとき、この時間より短く炊飯を終了してしまうとご飯に芯が残った状態になる。
【００２８】
なお、この実施される炊飯シーケンスは炊飯メニューにより異なり、例えば、標準的な「白米」メニューであれば、上述のように実施されるが、「白米高速」メニューであると食味より炊飯時間短縮の方が優先されるので、浸漬工程の工程実施時間を短縮するようにしている。
【００２９】
上記構成において図４のフローチャートを参照しながら動作を説明する。使用者がメニュー選択スイッチ６とスタートスイッチ５を操作して炊飯を開始すると、ステップＳ１ａからステップＳ１ｃで、まず、炊飯残時間の初期値を設定する。ステップＳ１ａでは、初めて炊飯を行うのか判定を行う。初めてであれば所要時間記憶手段には何も記憶されていないので、ステップＳ１ｃに進み所定の時間を設定する。ここでは「４５分」を設定する。
【００３０】
ステップＳ１ａで初めての炊飯でないと判定されるとステップＳ１ｂに進み、所要時間記憶手段に記憶されている時間を炊飯残時間の初期値として設定する。そして、ステップＳ２では炊飯開始から終了までの所要時間を計測するための計測タイマをクリアし、ステップＳ３に進む。
【００３１】
ステップＳ３では、残時間計時手段が計時する炊飯残時間を表示する。続くステップＳ４では炊飯残時間の判定を行い、むらし工程から炊飯が終了するまでの時間、すなわちむらし所要時間を上回っているか判定する。上回っていればステップＳ６に進み炊飯残時間の計時を行い、下回っていればステップＳ５に進む。
【００３２】
ステップＳ５では、さらに、炊飯シーケンスが進んでむらし工程以降になったかどうかを判定する。むらし工程以降になっていれば、ステップＳ６に進み炊飯残時間の計時を行い、むらし工程になっていなければステップＳ６をスキップし、ステップＳ７へと進む。むらし工程は一定時間以上実施しないと、炊飯終了後、ご飯に芯ができてしまう。この不具合を防ぐため、ステップＳ４とステップＳ５の判定条件を入れることで、むらし工程開始時にむらし所要時間分の炊飯残時間を確保することができる。
【００３３】
ステップＳ７では、炊飯開始から終了までの所要時間を計測するための計測タイマを計時する。このとき、むらし工程を開始した後、むらし所要時間を経過すればこの計時タイマの計時をやめるようにしている。そして、ステップＳ８では、炊飯残時間が計時され「０」になったかを判定する。「０」になっていなければ炊飯残時間があるのでステップＳ３に戻り、「０」になっていれば、ステップＳ９に進み、計測タイマが計時した時間を今回の炊飯の所要時間として所要時間記憶手段に記憶する。
【００３４】
このように、今回の炊飯での所要時間は所要時間記憶手段に記憶され、次回の炊飯開始時に炊飯残時間の初期値として読み込むことができる。炊飯残時間はむらし工程開始時に、むらし所要時間を下回らないよう調整されることと、計測タイマは、むらし工程開始以降、むらし所要時間経過後に計時を停止するので、結果炊飯所要時間はむらし工程が開始されるまでの時間とむらし所要時間との和となり、仮に使用者がいつも一定の炊飯量で炊く習慣があるなら、ほぼ正確な所要時間を炊飯残時間の初期値として表示することができる。
【００３５】
なお、本実施の形態では、計測タイマの計時をむらし工程を開始した後、むらし所要時間を経過すればこの計時タイマの計時をやめるようにしているが、これはむらし工程開始時に計時をやめても実現できる。この場合、ステップＳ９で炊飯所要時間としてむらし工程が開始されるまでに計時した計測タイマの時間とむらし所要時間との和を、所要時間記憶手段に記憶するようにすればよい。
【００３６】
また、本実施の形態では、計測タイマを炊飯開始から動作させることにより、炊飯の所要時間を求めるようにしているが、これはむらし工程開始までに炊飯残時間が到達したとき、その時点からむらし工程が始まるまでの時間を計測するようにしてもよい。この場合、炊飯残時間の初期値が本来の炊飯の所要時間より短かったということで、むらし工程経過後、その回の炊飯残時間の初期値と計測したむらし工程が始まるまでの時間の和を求めることで、炊飯の所要時間を導くことができる。
【００３７】
同様に、むらし工程開始時に炊飯残時間がむらし所要時間より長かったときはその差を求めるようにしてもよい。この場合、炊飯残時間の初期値が本来の炊飯の所要時間より長かったということで、むらし工程経過後、その回の炊飯残時間の初期値から、むらし工程開始時の炊飯残時間とむらし所要時間との差を減算することで、炊飯の所要時間を導くことができる。
【００３８】
（実施の形態２）
図１に示すマイクロコンピュータ３は、残時間算出手段の機能を有しており、この残時間算出手段は、炊飯に要した炊飯所要時間を新しい順に少なくとも２回分記憶し、この記憶した炊飯所要時間の平均値を計算し、炊飯残時間の初期値として算出する所要時間計算手段を構成している。他の構成は上記実施の形態１と同じである。
【００３９】
上記構成において図５のフローチャートを参照しながら動作を説明する。なお、ステップＳ２からステップＳ８までの動作は上記実施の形態１の動作と同じであるので説明を省略する。
【００４０】
使用者がメニュー選択スイッチ６とスタートスイッチ５を操作して炊飯を開始すると、ステップＳ１ｄからステップＳ１ｆで、まず、炊飯残時間の初期値を設定する。ステップＳ１ｄでは、使用を始めて３回目以降の炊飯を行うのか判定を行う。３回目以降でなければ所要時間計算手段には平均値としてまだ記憶されていないので、ステップＳ１ｆに進み所定の時間を設定する。ここでは「４５分」を設定している。
【００４１】
ステップＳ１ｄで３回目以降の炊飯であると判定されるとステップＳ１ｅに進み、所要時間計算手段に記憶されている時間を炊飯残時間の初期値として設定する。そして、ステップＳ２では炊飯開始から終了までの所要時間を計測するための計測タイマをクリアし、ステップＳ３に進む。
【００４２】
ステップＳ８で、炊飯残時間が計時され「０」になったかを判定し、「０」になっていなければ炊飯残時間があるのでステップＳ３に戻り、「０」になっていれば、ステップＳ１０に進む。ステップＳ１０では、計測タイマが計時した時間を今回の炊飯の所要時間として所要時間計算手段にまず記憶し、続くステップＳ１１で今回の炊飯の所要時間と前回の時間との平均値を算出し、所要時間計算手段に記憶する。
【００４３】
このように、今回の炊飯での所要時間と前回の炊飯での所要時間との平均値を算出して記憶し、次回の炊飯開始時に炊飯残時間の初期値として読み込むことができる。例えば、朝は少量、夕方は大量に炊飯する習慣があるとすると、大体その中間の炊飯所要時間を算出し記憶することになる。
【００４４】
従来ならば、所定の値しか炊飯残時間の初期値として設定できなかったので、例えば、初期値が最大の炊飯量のときのものに設定されているならば、夕方の大量の炊飯のときは問題がないが、朝の少量炊くときは、時間が大きくずれていたが、本実施の形態の炊飯器の場合、中間の時間が割り当てられるので、朝夕、どちらの炊飯の場合でも均等なずれがある炊飯残時間を初期値として設定できる。
【００４５】
なお、本実施の形態では、平均化の回数を２回としているが、これはそれ以上の回数でも、もちろんかまわない。
【００４６】
また、本実施の形態では、平均値の計算を炊飯終了直後に行っているが、これは次回の炊飯開始直後でも、もちろんかまわない。要は今回の炊飯の所要時間が決定し、次回炊飯開始の際、炊飯残時間の初期値を設定するまでに行えばよい。
【００４７】
また、本実施の形態では、所要時間の計算として平均化処理を行っているが、これは他の計算方法を用いてもよい。要は、統計をとって推定するなど次回の炊飯時の炊飯残時間の初期値決定は、複数回の炊飯の所要時間から計算し導く構成であればよい。
【００４８】
（実施の形態３）
図１に示すマイクロコンピュータ３は、残時間計時手段の機能を有し、炊飯開始時に前回の炊飯を行った炊飯メニューが今回行う炊飯メニューと同一ならば、所要時間記憶手段に記憶している炊飯所要時間（残時間算出手段が算出した値）を炊飯残時間の初期値として設定するようにしている。他の構成は上記実施の形態１と同じである。
【００４９】
上記構成において図６のフローチャートを参照しながら動作を説明する。なお、ステップＳ２からステップＳ９までの動作は上記実施の形態１の動作と同じであるので説明を省略する。
【００５０】
ステップＳ１ａからＳ１ｃの前にステップＳ０ａの処理を加え、このステップＳ０ａでは今から行う炊飯メニューが前回行った炊飯メニューと同一であるか判定する。同一であるならばステップＳ１ａに進み所要時間記憶手段に記憶されている時間を炊飯残時間の初期値として設定し、同一でないならばステップＳ１ｃに進み炊飯残時間の初期値として「４５分」を設定する。
【００５１】
このように、炊飯残時間の設定を行う前に、まず炊飯メニューのチェックを行い、前回と今回の炊飯メニューが同じときのみ、所要時間記憶手段に記憶されている時間を炊飯残時間の初期値として設定するようにしたので、この所要時間記憶手段に記憶されている時間を炊飯残時間の初期値として使用できる範囲を限定することができる。例えば、「白米高速」メニューで炊いたときの炊飯の所要時間を、今回「白米」メニューをする際、設定しても意味がない。この場合、「４５分」をセットしつつ、その炊飯終了後、「白米」メニューで炊いた炊飯の所要時間を記憶することができる。
【００５２】
（実施の形態４）
図１に示すマイクロコンピュータ３は、現在時刻を計時する現在時刻計時手段の機能を追加して有し、炊飯開始時に前回の炊飯を行った時間が所定の時間帯（例えば、朝）ならば、残時間算出手段が算出した値を初期値として設定するようにしている。他の構成は上記実施の形態１と同じである。
【００５３】
上記構成において図７のフローチャートを参照しながら動作を説明する。なお、ステップＳ２からステップＳ９までの動作は上記実施の形態１の動作と同じであるので説明を省略する。
【００５４】
ステップＳ１ａからＳ１ｃの前にステップＳ０ｂの処理を加え、このステップＳ０ｂでは現在時刻が５：００から８：００の時間帯なのか判定する。その時間帯に入っていれば、今は「朝」の時間帯ということでＳ１ａに進み所要時間記憶手段に記憶されている時間を炊飯残時間の初期値として設定し、入っていないならばステップＳ１ｃに進み炊飯残時間の初期値として「４５分」を設定する。
【００５５】
このように、炊飯残時間の設定を行う前に、まず、炊飯を行う時間帯のチェックを行い、時間帯が同じときのみ、所要時間記憶手段に記憶されている時間を炊飯残時間の初期値として設定するようにしたので、例えば、朝は少量、夕方は大量に炊く習慣があるなら、朝の少量に適した炊飯残時間をいつも設定することができる。
【００５６】
（実施の形態５）
図１に示すマイクロコンピュータ３は、残時間算出手段の機能を有しており、この残時間算出手段は、炊飯量を記憶する炊飯量記憶手段を構成し、炊飯量記憶手段は、図３のＴｅｍｐ１からＴｅｍｐ２までに達する上昇時間ｔを記憶し、この記憶した上昇時間を計算し、炊飯残時間の初期値として算出する上昇時間記憶手段を構成している。他の構成は上記実施の形態１と同じである。上昇時間ｔは炊飯量が少ないときは短くなり、逆に多いと長くなる。つまり、この上昇時間ｔの記憶は炊飯量の記憶と等価である。
【００５７】
上記構成において図８のフローチャートを参照しながら動作を説明する。なお、ステップＳ３からステップＳ８までの動作は上記実施の形態１の動作と同じであるので説明を省略する。
【００５８】
使用者がメニュー選択スイッチ６とスタートスイッチ５を操作して炊飯を開始すると、ステップＳ１２ａからステップＳ１２ｆで、まず、炊飯残時間の初期値を設定する。ステップＳ１２ａでは、初めて炊飯を行うのか判定を行う。初めてであれば上昇時間記憶手段には何も記憶されていないので、ステップＳ１２ｆに進み「４５分」を設定する。
【００５９】
ステップＳ１２ａで初めての炊飯でないと判定されるとステップＳ１２ｂに進み、上昇時間記憶手段に記憶されている上昇時間を判定する。上昇時間が６０秒以下であれば、ステップＳ１２ｄに進み「３９分」を設定し、そうでなければステップＳ１２ｃに進み、さらに上昇時間が１２０秒以下かどうかを判定する。１２０秒以下であれば、ステップＳ１２ｅに進み「４２分」を設定し、そうでなければステップＳ１２ｆに進み「４５分」を設定する。ステップＳ１２ｄ〜Ｓ１２ｆで炊飯残時間の設定が終了するとステップＳ３に進み、炊飯残時間の表示を行う。
【００６０】
ステップＳ８で、炊飯残時間が計時され「０」になったかを判定し、「０」になっていなければ炊飯残時間があるのでステップＳ３に戻り、「０」になっていれば、ステップＳ１３に進む。ステップＳ１３では、今回の炊飯での上昇時間ｔを上昇時間記憶手段に記憶する。
【００６１】
このように、今回の炊飯での上昇時間は上昇時間記憶手段に記憶され、次回の炊飯開始時にこの上昇時間を判定し、炊飯残時間の初期値を算出することができる。本実施の形態では、記憶された上昇時間は６０秒以下だと前回の炊飯時は比較的少量炊飯されたと判定して「３９分」を設定し、６０秒を超え１２０秒以下だと中量と判定して「４２分」を設定し、そして１２０秒を超えていると多量と判定して「４５分」を設定するようにしているので、使用者の炊飯量にあった炊飯残時間の初期値を設定できる。
【００６２】
また、記憶するのは炊飯量と等価の上昇時間であるので、前回と今回の実施する炊飯メニューが異なっていても、その上昇時間の記憶を使用し、炊飯残時間の初期値が設定できる。例えば前回が「白米」メニューで炊いた上昇時間の記憶を今回の「白米高速」メニューでの炊飯残時間の初期値の算出として使用できる。
【００６３】
なお、本実施の形態では、上昇時間を記憶するようにしているが、これは上昇時間を炊飯量に換算し記憶し、炊飯開始時にこの換算した炊飯量をもとに炊飯残時間の算出を行っても、もちろんよい。
【００６４】
（実施の形態６）
図１に示すマイクロコンピュータ３は、残時間算出手段の機能を有しており、この残時間算出手段は、炊飯量を記憶する炊飯量記憶手段を構成し、炊飯量記憶手段は、図３のＴｅｍｐ１からＴｅｍｐ２までに達する上昇時間ｔを新しい順に少なくとも２回分記憶し、この記憶した上昇時間の平均値を計算し、炊飯残時間の初期値を算出する上昇時間計算手段を構成している。他の構成は上記実施の形態１と同じである。
【００６５】
上記構成において図９のフローチャートを参照しながら動作を説明する。なお、ステップＳ３からステップＳ８までの動作は上記実施の形態１の動作と同じであるので説明を省略する。
【００６６】
使用者がメニュー選択スイッチ６とスタートスイッチ５を操作して炊飯を開始すると、ステップＳ１２ｇからステップＳ１２ｌで、まず、炊飯残時間の初期値を設定する。ステップＳ１２ｇでは、使用を始めて３回目以降の炊飯を行うのか判定を行う。３回目以降でなければ上昇時間計算手段には平均値としてまだ記憶されていないので、ステップＳ１２ｌに進み「４５分」を設定する。
【００６７】
ステップＳ１２ｇで３回目以降の炊飯であると判定されるとステップＳ１２ｈに進み、上昇時間計算手段に記憶されている平均上昇時間を判定する。平均上昇時間が６０秒以下であれば、ステップＳ１２ｊに進み「３９分」を設定し、そうでなければステップＳ１２ｉに進み、さらに平均上昇時間が１２０秒以下かどうかを判定する。１２０秒以下であれば、ステップＳ１２ｋに進み「４２分」を設定し、そうでなければステップＳ１２ｌに進み「４５分」を設定する。ステップＳ１２ｇ〜Ｓ１２ｌで炊飯残時間の設定が終了するとステップＳ３に進み、炊飯残時間の表示を行う。
【００６８】
ステップＳ８で、炊飯残時間が計時され「０」になったかを判定し、「０」になっていなければ炊飯残時間があるのでステップＳ３に戻り、「０」になっていれば、ステップＳ１４に進む。ステップＳ１４では、今回の炊飯での上昇時間ｔを今回の炊飯の上昇時間として上昇時間計算手段にまず記憶し、続くステップＳ１５で今回の炊飯の上昇時間と前回の時間との平均値を算出し、上昇時間計算手段に記憶する。
【００６９】
このように、今回の炊飯での上昇時間と前回の炊飯での上昇時間との平均値である平均上昇時間を算出して記憶し、次回の炊飯開始時にこの上昇時間を判定し、炊飯残時間の初期値を算出することができる。例えば、朝は少量、夕方は大量に炊飯する習慣があるとすると、大体その中間の上昇時間を算出し平均上昇時間として記憶することになる。
【００７０】
従来ならば、所定の値しか炊飯残時間の初期値として設定できなかったので、例えば、初期値が最大の炊飯量のときのものに設定されているならば、夕方の大量の炊飯のときは問題がないが、朝の少量炊くときは、時間が大きくずれていたが、本実施の形態の炊飯器の場合、中間の時間が割り当てられるので、朝夕、どちらの炊飯の場合でも均等なずれがある炊飯残時間を初期値として設定できる。
【産業上の利用可能性】
【００７１】
以上のように、本発明にかかる炊飯器は、炊飯を開始すると前回の炊飯による結果が反映された炊飯残時間を初期値として設定でき、使用者の使用実態に合わせた炊飯残時間を初期値として表示することができるので、炊飯終了までの炊飯残時間を表示する炊飯器として有用である。
【図面の簡単な説明】
【００７２】
【図１】本発明の第１の実施の形態の炊飯器の要部ブロック回路図
【図２】同炊飯器の残時間表示手段の拡大正面図
【図３】同炊飯器の炊飯シーケンスを示すタイムチャート
【図４】同炊飯器の動作フローチャート
【図５】本発明の第２の実施の形態の炊飯器の動作フローチャート
【図６】本発明の第３の実施の形態の炊飯器の動作フローチャート
【図７】本発明の第４の実施の形態の炊飯器の動作フローチャート
【図８】本発明の第５の実施の形態の炊飯器の動作フローチャート
【図９】本発明の第６の実施の形態の炊飯器の動作フローチャート
【符号の説明】
【００７３】
１  鍋
２  加熱手段
３  マイクロコンピュータ（制御手段、残時間計時手段、残時間算出手段）
【図１】
2004337579.tif 000003
【図２】
2004337579.tif 000004
【図３】
2004337579.tif 000005
【図４】
2004337579.tif 000006
【図５】
2004337579.tif 000007
【図６】
2004337579.tif 000008
【図７】
2004337579.tif 000009
【図８】
2004337579.tif 000010
【図９】
2004337579.tif 000011